(57)【要約】【課題】電界通信の効率低下を防止しつつ、携帯端末装置の固定設置を不要にする。【解決手段】本実施の形態に係る電界通信用バイパスシステムは、電界通信用の信号電極１２を備えた携帯端末装置１０を収納可能かつ取り出し可能な固定されたケース２０内に当該信号電極１２に容量結合する第１の電極１０１を配置し、携帯端末装置１０の通信相手である相手側通信装置の信号電極に対向する位置に当該信号電極に容量結合する第２の電極を配置し、第１の電極１０１と第２の電極とを導電性ケーブルで接続したことを特徴とする。【選択図】図１
2015111765.tif 000002
【特許請求の範囲】
【請求項１】
電界通信用の信号電極を備えた携帯端末装置を収納可能かつ取り出し可能な固定されたケース内に当該信号電極に容量結合する第１の電極を配置し、前記携帯端末装置の通信相手である相手側通信装置の信号電極に対向する位置に当該信号電極に容量結合する第２の電極を配置し、前記第１の電極と前記第２の電極とを導電性ケーブルで接続したことを特徴とする電界通信用バイパスシステム。
【発明の詳細な説明】
【技術分野】
【０００１】
本発明は、電界通信用バイパスシステムに関するものである。
【背景技術】
【０００２】
図４に示すように、電界通信用の携帯端末装置１０は、例えば装置本体１１を信号電極１２とグランド電極１３で挟む構造である。
【０００３】
図５に示すように、携帯端末装置１０の通信相手である相手側通信装置３０の信号電極３１が床４０に配置される。車いす５０を使用するユーザＵが携帯端末装置１０を使用する場合、例えば携帯端末装置１０は足場５１の下に固定される。このとき、信号電極１２は信号電極３１に対向する。
【０００４】
このような配置により、信号電極１２と信号電極３１の間隔を短くできるので、信号電極１２と信号電極３１の間の信号強度を高めることができる。
【０００５】
図６に示すように、同様の理由で、携帯端末装置１０は、例えば、車いす５０の下部に配置された構造体５２の下に固定されることもある。
【０００６】
このように携帯端末装置１０を車いす５０などに固定すれば、図７に示すようにユーザＵが手や脇などで信号電極１２とグランド電極１３を挟み込みことが不可能となる。ユーザＵが信号電極１２とグランド電極１３を挟み込むと、矢印のように、信号電極１２から発生した電界の一部がユーザＵの人体を介してグランド電極１３に戻ってしまい、電界通信の効率が低下する。すなわち、携帯端末装置１０を車いす５０などに固定すれば、電界通信の効率低下を防止できる。
【先行技術文献】
【特許文献】
【０００７】
【特許文献１】特許第４５６２７８３号公報
【発明の概要】
【発明が解決しようとする課題】
【０００８】
しかしながら、携帯端末装置１０を車いす５０に固定してしまうと、離れた場所で携帯端末装置１０を使用できず、不便である。
【０００９】
また、携帯端末装置１０を車いす５０に固定してしまうと、ユーザＵが車いす５０を離れた際、携帯端末装置１０が盗難、悪意による操作などされる虞があり、セキュリティ管理上の問題がある。
【００１０】
本発明は、上記の課題に鑑みてなされたものであり、その目的とするところは、電界通信の効率低下を防止しつつ、携帯端末装置の固定設置を不要にする技術を提供することにある。
【課題を解決するための手段】
【００１１】
上記の課題を解決するために、本発明の電界通信用バイパスシステムは、電界通信用の信号電極を備えた携帯端末装置を収納可能かつ取り出し可能な固定されたケース内に当該信号電極に容量結合する第１の電極を配置し、前記携帯端末装置の通信相手である相手側通信装置の信号電極に対向する位置に当該信号電極に容量結合する第２の電極を配置し、前記第１の電極と前記第２の電極とを導電性ケーブルで接続したことを特徴とする。
【発明の効果】
【００１２】
本発明によれば、電界通信の効率低下を防止しつつ、携帯端末装置の固定設置を不要にすることができる。
【図面の簡単な説明】
【００１３】
【図１】本実施の形態に係る電界通信用バイパスシステムの一構成例を示す図である。
【図２】携帯端末装置１０およびケース２０の箇所を拡大して示した図である。
【図３】電極１０２の箇所を拡大して示した図である。
【図４】携帯端末装置１０に関する構造の一例を示す図である。
【図５】図４の携帯端末装置１０を用いた電界通信システムの一例を示す図である。
【図６】図４の携帯端末装置１０を用いた電界通信システムの別な一例を示す図である。
【図７】電界通信の効率を低下させる携帯端末装置１０の利用形態の一例を示す図である。
【発明を実施するための形態】
【００１４】
以下、本発明の実施の形態について図面を参照して説明する。
【００１５】
図１は、本実施の形態に係る電界通信用バイパスシステムの一構成例を示す図であり、図２は、携帯端末装置１０およびケース２０の箇所を拡大して示した図であり、図３は、電極１０２の箇所を拡大して示した図である。なお、図２では、ケース２０を一部を切り欠いて示す。
【００１６】
本実施の形態に係る電界通信用バイパスシステムは、電界通信用の信号電極１２を備えた携帯端末装置１０を収納可能かつ取り出し可能な固定されたケース２０内に当該信号電極１２に容量結合する第１の電極１０１を配置し、携帯端末装置１０の通信相手である相手側通信装置３０の信号電極３１に対向する位置に当該信号電極３１に容量結合する第２の電極１０２を配置し、第１の電極１０１と第２の電極１０２とを導電性ケーブル１０３で接続したことを特徴とする。
【００１７】
各電極１０１、１０２は、金属との短絡（ショート）を防止すべく、例えば、図示しない絶縁被覆で覆われる。
【００１８】
ケース２０は、例えば車いす５０において、ユーザＵから見え、かつ、手が届く位置に固定される。ケース２０は、例えば、上部で開口し、下部は閉じている。
【００１９】
携帯端末装置１０は、例えば装置本体１１を信号電極１２とグランド電極１３で挟む構造である。
【００２０】
ユーザＵは、携帯端末装置１０と相手側通信装置３０とを通信させる際は、信号電極１２をケース２０に収納する。前述のようにケース２０が例えば、上部で開口し、下部は閉じていることで、ユーザＵは、携帯端末装置１０を上部開口からケース２０に投げ込むようにして収納できる。この際、信号電極１２が電極１０１に対向し、容量結合する。
【００２１】
例えば、ケース２０の内側面に電極１０１を設け、ケース２０を斜めにすることで、携帯端末装置１０が無造作にケース２０に投げ込まれた場合であっても、信号電極１２と電極１０１が密着する。これにより、電界のロスを少なくできる。
【００２２】
一方、相手側通信装置３０に接続された信号電極３１は、例えば床４０に配置される。電極１０２は、例えば足場５１の下に固定される。電極１０２は、車いす５０の金属部分との絶縁性を確保すべく、例えば絶縁性誘電体１０４を介して足場５１に固定される。または、電極１０２は足場５１に直接固定される。
【００２３】
携帯端末装置１０から相手側通信装置３０への通信時、装置本体１１から信号電極１２に信号が送られ、信号電極１２から電界が発生する。発生した電界は電極１０１に伝播する。電界は空間をバイパス（迂回）し、導電性ケーブル１０３内を伝播する。電界は、導電性ケーブル１０３に接続された電極１０２から下方に放射される。電界は、信号電極３１で受信され、信号となって相手側通信装置３０に達する。逆方向の通信時、電界は逆の経路で伝播する。
【００２４】
このように携帯端末装置１０からの電界、携帯端末装置１０への電界は空間をバイパスするので、携帯端末装置１０を収納するケース２０については配置の制約を少なくできる。つまり、ユーザＵから見え、かつ、手が届く位置に携帯端末装置１０を置け、利便性が向上する。すなわち、信号電極３１の位置によらず、携帯端末装置１０を自由な位置に置くことができる。
【００２５】
また、携帯端末装置１０はケース２０から取り出せ、離れた場所で使用できるので、便利である。また、ユーザＵが車いす５０を離れる場合は、携帯端末装置１０をケース２０から取り出し、携行すればよいので、盗難、悪意による操作などの虞がなく、セキュリティ管理上の問題を解消できる。
【００２６】
また、携帯端末装置１０はケース２０に収納されるので、電界通信時にユーザＵが信号電極１２とグランド電極１３を挟み込むことで電界の一部が戻ってしまう虞がなく、電界通信の効率低下を防止できる。
【符号の説明】
【００２７】
１０…携帯端末装置
１１…装置本体
１２…信号電極
１３…グランド電極
２０…ケース
３０…相手側通信装置
３１…信号電極
４０…床
５１…足場
５２…構造体
１０１…第１の電極
１０２…第２の電極
１０３…導電性ケーブル
１０４…絶縁性誘電体
【図１】
2015111765.tif 000003
【図２】
2015111765.tif 000004
【図３】
2015111765.tif 000005
【図４】
2015111765.tif 000006
【図５】
2015111765.tif 000007
【図６】
2015111765.tif 000008
【図７】
2015111765.tif 000009